(57)【要約】【課題】１回のダビング操作で、同一コンテンツを複数の機器にダビング記録可能にする。【解決手段】  コンテンツを記憶可能な複数の機器に対して前記コンテンツを転送して記憶させることが可能な通信部と、操作入力部に対するダビング操作に基づいて、前記コンテンツの転送先として前記複数の機器のうちの複数の転送先機器の情報を含むダビング情報を記憶部に記憶させるダビング情報生成部と、前記記憶部に記憶されたダビング情報に基づいて、前記コンテンツの記憶媒体から読出した前記コンテンツを前記通信部から前記複数の転送先機器に順次転送してダビングを行うダビング制御部と、を具備したことを特徴とする。【選択図】図１
2010238317.tif 000002
【特許請求の範囲】
【請求項１】
コンテンツを記憶可能な複数の機器に対して前記コンテンツを転送して記憶させることが可能な通信部と、
操作入力部に対するダビング操作に基づいて、前記コンテンツの転送先として前記複数の機器のうちの複数の転送先機器の情報を含むダビング情報を記憶部に記憶させるダビング情報生成部と、
前記記憶部に記憶されたダビング情報に基づいて、前記コンテンツの記憶媒体から読出した前記コンテンツを前記通信部から前記複数の転送先機器に順次転送してダビングを行うダビング制御部と、
を具備したことを特徴とするダビング装置。
【請求項２】
前記ダビング制御部は、１回の前記ダビング操作に応じて、前記複数の転送先機器に対して連続的に前記コンテンツの転送を行うことを特徴とする請求項１に記載のダビング装置。
【請求項３】
前記ダビング情報生成部は、前記コンテンツの転送先として同一機器を複数回指定したダビング情報を生成可能であることを特徴とする請求項１に記載のダビング装置。
【請求項４】
前記ダビング情報生成部は、前記コンテンツを記憶可能な複数の機器のリスト表示を行うことを特徴とする請求項１に記載のダビング装置。
【請求項５】
前記ダビング情報生成部は、前記操作入力部に対するダビング操作に応答して、前記コンテンツに許されたコピー回数を前記リスト表示中に含めて表示することを特徴とする請求項４に記載のダビング装置。
【請求項６】
コンテンツを記憶可能な複数の機器に対して前記コンテンツを転送して記憶させることが可能な通信部を介して前記コンテンツのダビングを行うためのダビング操作に基づいて、前記コンテンツの転送先として前記複数の機器のうちの複数の転送先機器の情報を含むダビング情報を記憶部に記憶させ、
前記記憶部に記憶されたダビング情報に基づいて、前記コンテンツを読出し、前記通信部から前記複数の転送先機器に順次転送してダビングを行う
ことを特徴とするダビング方法。
【発明の詳細な説明】
【技術分野】
【０００１】
ネットワーク接続されたテレビジョン受信装置等に好適なダビング装置及びダビング方法に関する。
【背景技術】
【０００２】
従来、デジタルテレビジョン受信装置においては、内蔵ハードディスク装置やＵＳＢ接続されたハードディスク装置を備えたものがある。また、近年、デジタル家電機器の普及に伴い、一般家庭におけるホームネットワークが普及しており、デジタルテレビジョン受信装置においても、ネットワークに接続されたハードディスク構成のファイルサーバ等に対してアクセス可能になっている。
【０００３】
この種のデジタルテレビジョン受信装置においては、受信したコンテンツを、内蔵、ＵＳＢ接続あるいはネットワーク接続されたハードディスク装置等に記録することができる。更に、デジタルテレビジョン受信装置は、ハードディスク等に記録されたコンテンツを、他のハードディスク装置等に転送してダビングさせることも可能である。
【０００４】
ユーザは、テレビジョン受信装置等に組み込まれたダビング装置に対して、リモコン装置等によってダビングの指示を行うことができる。即ち、ユーザは、先ずダビング元のコンテンツの選択操作を行う。次に、ユーザは、コンテンツのダビング先を指定した後、ダビングの開始を指示する。ダビング装置は、選択されたコンテンツを転送元の装置から読み出して、ネットワークケーブル等の伝送路を介して伝送する。転送先の記録装置は、自機宛てに転送されたコンテンツを記録する。こうして、ユーザが指定したコンテンツを転送元から転送先の記録装置にダビングすることができる。
【先行技術文献】
【特許文献】
【０００５】
【特許文献１】特開２００８−５４２９８号公報
【発明の概要】
【発明が解決しようとする課題】
【０００６】
ところで、ユーザーが複数のバックアップを残そうとすることがある。この場合でも、ダビング中にはダビング操作を行うことができないことから、ユーザーは１つの転送先の機器に対してダビングが完了した後、次の転送先へのダビングのためのダビング操作を行う必要がある。
【０００７】
つまり、ユーザは各転送先機器へのダビングが行われている期間待機して、ダビング終了の都度次のダビング操作を行う必要がある。
【０００８】
なお、このように同一コンテンツを複数の機器に順次にダビングする手法としては、特許文献１に開示の技術があるが、この技術においてもダビング毎に次のダビング操作を行う必要がある。
【０００９】
また、例えば、記録先が、ハードディスク装置内蔵のＤＶＤ記録装置の場合等においては、転送先でハードディスクとＤＶＤとの両方に記録する場合もある。このような場合において、コンテンツにコピー回数が有限のコピープロテクトが施されている場合には、２回のダビング処理が必要であり、操作が一層煩雑となる。
【００１０】
本発明は、同一コンテンツを複数の機器に連続的にダビングする場合でも操作性を向上させることができるダビング装置及びダビング方法を提供することを目的とする。
【課題を解決するための手段】
【００１１】
本発明に係るダビング装置は、コンテンツを記憶可能な複数の機器に対して前記コンテンツを転送して記憶させることが可能な通信部と、操作入力部に対するダビング操作に基づいて、前記コンテンツの転送先として前記複数の機器のうちの複数の転送先機器の情報を含むダビング情報を記憶部に記憶させるダビング情報生成部と、前記記憶部に記憶されたダビング情報に基づいて、前記コンテンツの記憶媒体から読出した前記コンテンツを前記通信部から前記複数の転送先機器に順次転送してダビングを行うダビング制御部と、を具備したことを特徴とするものである。
【発明の効果】
【００１２】
本発明によれば、同一コンテンツを複数の機器に連続的にダビングする場合でも操作性を向上させることができるという効果を有する。
【図面の簡単な説明】
【００１３】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】ダビング時の動作を示すフローチャート。
【図４】各機器に対するアクセス時の動作を示すフローチャート。
【図５】機器リスト表示の一例を示す説明図。
【図６】機器リスト表示の一例を示す説明図。
【図７】録画リスト表示の一例を示す説明図。
【図８】ダビング機器表示の一例を示す説明図。
【図９】確認画面表示の一例を示す説明図。
【図１０】ダビング情報の一例を示す説明図。
【図１１】本発明の第２の実施の形態において採用されるダビング機器表示の一例を示す説明図。
【図１２】第２の実施の形態における確認画面表示の一例を示す説明図。
【発明を実施するための形態】
【００１４】
以下、図面を参照して本発明の実施の形態について詳細に説明する。
【００１５】
（第１の実施の形態）
図１は、この発明を適用したデジタルテレビジョン放送受信装置１１１の外観と、このデジタルテレビジョン放送受信装置１１１を中心として構成されるネットワークシステムの一例を概略的に示している。
【００１６】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１７】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１８】
さらに、このデジタルテレビジョン放送受信装置１１１には、例えば契約情報等が記録された第２のメモリカード（ＩＣカード）１２０が着脱可能となっており、この第２のメモリカード１２０に対して情報の記録再生が行なわれるようになっている。
【００１９】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００２０】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００２１】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００２２】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ（ＰＣ）１２８、ＨＤＤ内蔵のＤＶＤ（Digital Versatile Disk）レコーダ１２９等の機器が接続され、これらの機器と情報伝送を行なうために使用される。
【００２３】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２４】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０が設けられている。
【００２５】
さらに、この第２のＬＡＮ端子１２２は、ハブ１２６に接続されたブロードバンドルータ１３１を介して、例えばインターネット等のネットワーク１３２に接続され、このネットワーク１３２を介してコンテンツサーバ（ＰＣ）１３３や携帯電話１３４等と情報伝送を行なうために使用される。
【００２６】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２７】
また、ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器が接続され、これらのＵＳＢ機器と情報伝送を行なうために使用される。
【００２８】
さらに、ｉ．ＬＩＮＫ端子１２４は、例えばＡＶ−ＨＤＤ１４１、Ｄ（Digital）−ＶＨＳ（Video Home System）１４２等がシリアル接続され、これらの機器と情報伝送を行なうために使用される。
【００２９】
図２は、上記したデジタルテレビジョン放送受信装置１１１の主要な信号処理系を示している。
【００３０】
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００３１】
チューナ２４５ａは、制御部２６１からの制御信号により所望のチャンネルの放送信号を選局し、この選局された放送信号をＰＳＫ（Phase Shift Keying）復調器２４５ｂに出力する。
【００３２】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００３３】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ（図示省略）２４７ｆに出力する。
【００３４】
また、ＴＳ復号器２４５ｃは、デジタル放送により送られているセクション情報を信号処理部２４７内のセクション処理部（図示省略）２４７ｈに出力する。
【００３５】
また、地上波放送受信用のアンテナ２４８で受信した地上デジタルテレビジョン放送信号は、入力端子２４９を介して地上デジタル放送用のチューナ２５０ａに供給される。
【００３６】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３７】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３８】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファに出力する。
【００３９】
また、ＴＳ復号器２５０ｃは、デジタル放送により送られているセクション情報を信号処理部２４７内のセクション処理部に出力する。
【００４０】
信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力する。また、信号処理部２４７は、コンテンツ再生時には、制御部２６１から入力されたコンテンツの再生信号を選択し、所定のデジタル信号処理を施し、グラフィック処理部２５４及び音声処理部２５５に出力する。
【００４１】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００４２】
制御部２６１は、これら入力された情報からＥＰＧ，字幕を表示するため画像生成処理を行い、この生成した画像情報をグラフィック処理部２５４に出力する。
【００４３】
信号処理部２４７内のセクション処理部は、ＴＳ復号器２４５ｃ，２５０ｃから入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１に出力する。
【００４４】
グラフィック処理部２５４は、（１）信号処理部２４７内のＡＶデコーダ（図示省略）から供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８に出力する機能を有する。
【００４５】
また、字幕放送による字幕を表示するとき、グラフィック処理部２５４は、制御部２６１からの制御による字幕情報に基づき、映像信号上に字幕情報を重畳する処理を行う。
【００４６】
グラフィック処理部２５４から出力されたデジタルの映像信号は、映像処理部２５８に供給される。この映像処理部２５８は、入力されたデジタルの映像信号を、映像表示器１１４で表示可能なフォーマットのアナログ映像信号に変換した後、映像表示器１１４に出力して映像表示させるとともに、出力端子２５９を介して外部に導出させる。
【００４７】
また、音声処理部２５５は、入力されたデジタルの音声信号を、スピーカ１１５で再生可能なフォーマットのアナログ音声信号に変換した後、スピーカ１１５に出力して音声再生させるとともに、出力端子２６０を介して外部に導出させる。
【００４８】
このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、操作部１１６（図１参照）からの操作情報を受け、または、リモートコントローラ１１７から送出された操作情報を、受光部１１８を介して受信し、その操作内容が反映されるように各部をそれぞれ制御している。
【００４９】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００５０】
また、この制御部２６１は、カードＩ／Ｆ（Interface）２６５を介して、第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００５１】
さらに、制御部２６１は、カードＩ／Ｆ２６７を介して、第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００５２】
また、制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００５３】
さらに、制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００５４】
また、制御部２６１は、ＵＳＢ  Ｉ／Ｆ２７１を介してＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００５５】
さらに、制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００５６】
また、制御部２６１は、内蔵ＨＤＤ２７３に接続されている。これにより、制御部２６１は、受信した画像又は外部から取り込んだ画像を内蔵ＨＤＤ２７３に記録すると共に、内蔵ＨＤＤ２７３に記録されている画像を読み出すことができる。
【００５７】
ところで、この実施形態では内蔵ＨＤＤ２７３に、内蔵ＨＤＤ２７３、ＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。なお、内蔵ＨＤＤ２７３を含み、コンテンツを記憶媒体に記録可能な装置を機器として説明する。
【００５８】
また、制御部２６１は、不揮発性メモリ２６１ｃに、内蔵ＨＤＤ２７３、ＨＤＤ１２５、ＨＤＤ１２７、コンテンツサーバ１２８、ＤＶＤレコーダ１２９それぞれのストレージＩＤを記憶させてもよい。
【００５９】
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００６０】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００６１】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００６２】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００６３】
本実施の形態においては、ダビング情報生成部としての制御部２６１は、リモートコントローラ１１７等のユーザ操作に基づいて、コンテンツのダビングに関するダビング情報を生成し、生成したダビング情報をＲＡＭ２６１ｂ等に保持させることができる。更に、ダビング制御部としての制御部２６１は、ＲＡＭ２６１ｂ等に保持させたダビング情報に基づいて、コンテンツを読出すと共に各Ｉ／Ｆを制御して転送先の機器にコンテンツを順次転送させてダビング記録することができるようになっている。
【００６４】
また、制御部２６１は、ＯＳＤ信号生成部２５７及びグラフィック処理部２５４を制御して、各種メニュー表示を映像表示器１１４の表示画面上に表示させることができる。例えば、制御部２６１は、映像記録が可能な機器を示す機器リスト表示、各機器毎の録画リスト表示、ダビング可能な機器を示すダビング機器表示、確認画面表示等を表示させることができる。
【００６５】
また、制御部２６１は、各機器に記録されているコンテンツのコピープロテクトに関する情報を読み出すと共に、各コンテンツのコピープロテクト情報を必要に応じて修正することができるようになっている。
【００６６】
次に、このように構成された実施の形態におけるダビング時の動作について図３乃至図１０を参照して説明する。図３はダビング時の動作を示すフローチャートである。また、図４は各機器に対するアクセス時の動作を示すフローチャートである。
【００６７】
ユーザが所望のコンテンツを複数の機器にダビングするものとする。この場合には、ユーザは、操作部１１６又はリモートコントローラ１１７等を用いてダビング操作の開始を指示する。制御部２６１は、ステップＳ１においてリモートコントローラ１１７等からのユーザによるダビング操作の開始の指示を受け付けると、ステップＳ２において、機器リスト表示を表示させる。
【００６８】
制御部２６１は、内蔵ＨＤＤ２７３又は不揮発性メモリ２６１ｃ等から記録が行われている機器の情報を読み出して、グラフィック処理部２５４において機器リスト表示を生成させる。この機器リスト表示は映像表示器１１４の表示画面上に表示される。
【００６９】
図５及び図６は機器リスト表示の一例を示す説明図である。図５の例は、機器名及びＩＰアドレスからなる機器リスト表示を示している。映像表示器１１４の表示画面１１４ａ上には、機器一覧として、機器名及びＩＰアドレスが表示されている。また、図６の例は、サーバの種類、機器名及びＩＰアドレスからなる機器リスト表示を示している。表示画面１１４ａ上には、機器一覧として、サーバーの種類、機器名及びＩＰアドレスが表示されている。
【００７０】
ユーザは、機器リスト表示を参照しながら、リモートコントローラ１１７等によって機器を選択する。制御部２６１は、ステップＳ３において機器の選択操作を受け付けると、ステップＳ４において選択された機器にアクセスし、録画情報を取得する。
【００７１】
制御部２６１は、取得した録画情報に基づいて、グラフィック処理部２５４において録画リスト表示を生成させる。この録画リスト表示は映像表示器１１４の表示画面上に表示される（ステップＳ５）。
【００７２】
ユーザは、録画リスト表示を参照しながら、リモートコントローラ１１７等によってダビングを希望するコンテンツを選択する。制御部２６１は、ステップＳ６においてコンテンツの選択操作を受け付けると、ステップＳ７において、選択されたコンテンツにアクセスする。
【００７３】
即ち、制御部２６１は、図４のステップＳ４１において、機器検索処理を行う。次いで、制御部２６１はステップＳ４２において、コンテンツのＵＲＩ情報を取得する。次いで、制御部２６１はステップＳ４３においてコンテンツＩＰアドレス情報を取得する。次いで、制御部２６１は、コンテンツへのアクセス可否判定を行う（ステップＳ４４）。アクセス可である場合には、制御部２６１は、処理をステップＳ４５からステップＳ４６に移行してコンテンツにアクセスする。アクセス不可である場合には、制御部２６１は、処理をステップＳ４５からステップＳ４７に移行してエラー通知を行う。
【００７４】
本実施の形態においては、制御部２６１は、コンテンツへのアクセスに際して、コンテンツのコピープロテクト情報を読み出して、例えば、ＲＡＭ２６１ｂに記憶させるようになっている。
【００７５】
制御部２６１は、ステップＳ８において、録画リスト表示上において、コンテンツの選択操作を行ったことを示すコンテンツ選択表示を表示させる。ユーザは録画リスト表示のコンテンツ選択表示を確認して、ダビング指示の操作を行う。
【００７６】
図７は録画リスト表示の一例を示す説明図である。図７に示すように、録画リスト表示は、「全て表示」、「曜日別」、「ジャンル別」及び「連ドラグループ別」のタブを備えており、図７は「全て表示」タブが選択されている場合を示している。録画リスト表示の右側中央には、録画されたコンテンツのタイトル表示が表示されている。図７の例では、タイトル表示は、１コンテンツを１行で示し、番組タイトルが「番組タイトルＡ」、「番組タイトルＢ」、「番組タイトル１」〜「番組タイトル５」である例を示している。
【００７７】
図７のタイトル表示中の斜線部は、コンテンツを選択したことを示すコンテンツ選択表示を示している。図７の左側中央には、選択されたコンテンツの詳細表示枠が設けられており、例えば選択されたコンテンツのサムネイル表示等が行われる。図７の例では、番組タイトルが「番組タイトル３」であるコンテンツは、地上デジタル放送のチャンネル０４１の受信によって、１２月１５日（火曜日）に録画された邦画の番組であり、ダビングによるコピーが９回可能であることが示されている。
【００７８】
また、図７の例では、録画リスト表示の最下部には、操作案内表示が表示されており、括弧書きでリモートコントローラ１１７の操作ボタン等と処理との対応が示されている。例えば、コンテンツの選択は、リモートコントローラ１１７等のカーソルキー及び決定ボタンによって実行し、選択したコンテンツのダビングを行う場合には、「緑」ボタンを押せばよいことが示されている。
【００７９】
制御部２６１は、ステップＳ９においてダビング指示操作が行われことを検出すると、次のステップＳ１０において、ダビング機器表示を表示させる。即ち、制御部２６１は、不揮発性メモリ２６１ｃ等に記録されている機器の情報並びにダビング元として選択されたコンテンツの情報及びそのコピープロテクトに関する情報を読み出して、グラフィック処理部２５４においてダビング機器表示を生成させる。このダビング機器表示についても、他の表示と同様に映像表示器１１４に表示させる。
【００８０】
図８はダビング機器表示の一例を示す説明図である。図８はダビング機器表示を録画リスト表示の中央に重ねて表示した例を示している。図８の中央には、ダビング記録が可能な機器を１行に１つずつ示す機器表示が行われている。機器表示の各行は、左からチェック欄、伝送路、機器名を示している。また、斜線部は、ダビング機器の指定操作を行ったことを示し、チェック欄中のレ点は、ダビング機器として選択されたことを示す機器選択表示である。
【００８１】
また、図８の例では、ダビング機器表示の最下部には、操作案内表示が表示されており、括弧書きでリモートコントローラ１１７の操作ボタン等と処理との対応が示されている。例えば、ダビング機器の選択は、リモートコントローラ１１７等の上下カーソルキー及び決定ボタンによって指定し、選択したダビング機器を確定する場合には、「青」ボタンを押せばよいことが示されている。
【００８２】
即ち、ユーザは、ダビング機器表示を参照しながら、リモートコントローラ１１７等によってコンテンツのコピー先であるダビング機器を選択する。本実施の形態においては、ユーザはコピー先の機器であるダビング機器として、複数の機器を選択可能である。
【００８３】
制御部２６１は、ステップＳ１１においてダビング機器の選択操作を受け付けると、ステップＳ１２において、コピー残回数を計算する。即ち、制御部２６１は、ＲＡＭ２６１ｂ等に記憶されているコピープロテクト情報と、選択された機器の個数に応じて、コピー可能な残回数を求める。
【００８４】
制御部２６１は、ステップＳ１３において、ダビング機器表示上において、ダビング機器の選択操作を行ったことを示すレ点による機器選択表示を表示させる。例えば、上下カーソルキーと決定ボタンとの操作を繰返すことによって、複数のダビング機器を指定することができる。そして、ダビング機器の選択操作に応答し、ダビング機器表示上には、コピー可能な残回数についての表示も表示される。図８の例では、ダビング先指定可能件数が９であるのに対し、２台の機器をダビング機器として選択したことから、コピー残回数が７であることが示されている。
【００８５】
なお、選択されたコンテンツに許されたコピー回数分のダビング機器を選択した場合には、これ以上の選択は不可能である旨を表示するようにしてもよい。
【００８６】
更に、指定可能残り件数が０となった場合には、他にダビング先を指定できない旨を表示するため、ダビング先と指定されている機器のリストをトーンダウン表示するようにしてもよい。
【００８７】
次に、ユーザはダビング機器表示を参照しながら、選択するダビング機器を確定する操作を行う。制御部２６１はこの操作を受け付けると（ステップＳ１４）、次のステップＳ１５において、確認画面表示を表示させる。
【００８８】
図９は確認画面表示の一例を示す説明図である。図９は確認画面表示を録画リスト表示の中央に重ねて表示した例を示している。図９では、左側にコピー元の機器を示し、右側に選択されたダビング機器を示した確認画面表示の例を示している。図９の例では、３台のダビング機器にダビングを行うことが示されており、これらのダビングによって、コピー残回数が６回であることが示されている。
【００８９】
なお、コンテンツのコピー回数に基づいたダビング可能回数と、ダビング先の記憶媒体の容量に基づいたダビング可能回数とのうち、より少ないほうを真のダビング可能回数として表示する機能を備えるようにしてもよい。
【００９０】
また、コピーワンスやダビング１０等のダビング回数に制限があるコンテンツについて、その上限までコピーが行われる場合には、これ以上の機器を選択できない旨を表示するようにしてもよい。
【００９１】
また、コピー回数に上限があるコンテンツの場合には、現状の最大コピー回数分の機器を選択すると最後の１件はムーブとなるため、元の記憶媒体からは削除される。この点を考慮して、最後の１回のコピーであることを示すアラートを表示する機能を備えるようにしてもよい。
【００９２】
ユーザは確認画面表示を参照しながら、「はい」ボタン又は「いいえ」ボタンの操作による確認操作を行う。制御部２６１は、「いいえ」ボタンの操作が行われたことを検出すると、処理をステップＳ１０に戻して図６のダビング機器表示を再表示させる。また、制御部２６１は、「はい」ボタンの操作が行われたことを検出すると、処理をステップＳ１７に移行して、ユーザのダビング操作に基づくダビング情報をＲＡＭ２６１ｂ等のメモリに記憶させる。
【００９３】
図１０はダビング情報の一例を示す説明図である。図１０に示すように、ダビング情報としては、コンテンツの１回のダビング処理毎に、ダビング元の機器に関する情報、ダビングするコンテンツに関する情報、ダビング先の機器に関する情報が含まれる。図１０の例は所定のコンテンツについて、ｎ台の機器にダビングが行われることを示している。
【００９４】
次に、制御部２６１は、記憶されたダビング情報に基づいてダビングを開始する（ステップＳ１８）。制御部２６１は、コピー元の機器から読み出したコンテンツを、ダビング機器に出力して記録させる。ダビングが終了すると、制御部２６１はステップＳ１９から処理をステップＳ２０に移行して、転送元のコンテンツのコピープロテクト情報を修正する。制御部２６１は、ダビング情報に基づいて、全てのダビング機器に対するダビングが終了したか否かを判定する（ステップＳ２１）。全てのダビングが終了していない場合には、ステップＳ１８に戻して、順次ダビングを繰返す。
【００９５】
このように本実施の形態においては、１つのコンテンツを複数の機器にダビングする場合であっても、ユーザは最初に１回だけダビング操作を行えばよく、操作性に優れている。
【００９６】
（第２の実施の形態）
図１１は本発明の第２の実施の形態において採用されるダビング機器表示の一例を示す説明図である。本実施の形態は第１の実施の形態と同一のハードウェア構成を用い、図３と同様の処理フローによって実現することができる。
【００９７】
本実施の形態は、同一のダビング機器に同一コンテンツを複数回コピー可能にしたものである。本実施の形態においては、制御部２６１は、ステップＳ１０のダビング機器表示において、図１１に示す表示を行う。図１１の例は、各ダビング機器に対してコピーの回数を指定するコピー回数指定欄が設けられている点が図８のダビング機器表示と異なる。即ち、ユーザは、ダビング機器表示において、リモートコントローラ１１７等のカーソルキー、数字キー及び決定ボタン等を用いて、コピー回数を指定することができる。
【００９８】
なお、ダビング可能回数以上の回数を指定した場合には、指定不可能である旨の表示を行うようにしてもよい。
【００９９】
図１２は本実施の形態における確認画面表示の一例を示す説明図である。図１２の例はコピー回数欄が設けられている点が図９の確認画面表示と異なる。
【０１００】
なお、ダビング情報として、例えば、同一内容の情報をコピー回数だけ繰返し登録することによって、同一ダビング機器に対して複数回のコピーが可能となる。
【０１０１】
他の作用は第１の実施の形態と同様である。
【０１０２】
このように本実施の形態においても第１の実施の形態と同様に最初に１回だけダビング操作を行うことで同一コンテンツを複数の機器にダビングすることが可能である。また、本実施の形態においては、同一のダビング機器に複数のコピーを生成することが可能である。
【０１０３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１０４】
例えば、コピーワンスやダビング１０のコンテンツのうちムーブのみ許可された映像コンテンツの場合には、ダビング可能回数を１とし、ダビング可能回数を変更できない旨を表示する機能を備えるようにしてもよい。
【符号の説明】
【０１０５】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2010238317.tif 000003
【図２】
2010238317.tif 000004
【図３】
2010238317.tif 000005
【図４】
2010238317.tif 000006
【図５】
2010238317.tif 000007
【図６】
2010238317.tif 000008
【図７】
2010238317.tif 000009
【図８】
2010238317.tif 000010
【図９】
2010238317.tif 000011
【図１０】
2010238317.tif 000012
【図１１】
2010238317.tif 000013
【図１２】
2010238317.tif 000014